(57)【要約】      （修正有）【課題】風圧、気温変化等による外装板の変形、離脱等を抑制する。【解決手段】躯体２の外面を縦方向に細長く複数に区分した形状の輪郭に対応して吊子台座１３が固定され、上向きＬ字状に屈曲した側縁部５を有する外装板４が隣接する吊子台座１３間を覆って配置され、外装板４の側縁部５が縦方向の複数個所において着脱可能な固定金具７で固定されている。吊子台座１３の幅方向中央には、両側外向きに突出し、端部側が下方斜め内向きになるように屈曲形成された係合受部１９を有する瓦棒通し吊子１７が固定されている。瓦棒通し吊子１７には、係合受部１９の屈曲部位に対応した部位で下方斜め内向きに屈曲し、引き続いて端部側が下方斜め外向きになるように屈曲した係止部２２を有する瓦棒化粧カバー２０が被せられている。瓦棒化粧カバー２０は、係止部２２が係合受部１９に弾性的に係合し、瓦棒通し吊子１７に着脱可能に装着されている。【選択図】図１
2005002762.tif 000002
【特許請求の範囲】
【請求項１】
躯体（２）の外面を縦方向に細長く複数に区分した形状の輪郭に対応して配置され、躯体（２）に着脱可能に取付けられた吊子台座（１３）と、隣接する吊子台座（１３）間を覆うように配置され、側縁部（５）又は側縁部（５）に沿う部位が縦方向に間隔を空けて着脱可能な固定部材（７，８，３１）で吊子台座（１３）に取付けられた外装板（４）と、吊子台座（１３）に設けられ、両側外向きに突出し、端部側が内向きになるように屈曲した係合受部（１９）を有する瓦棒通し吊子（１７）と、端部側の先端が吊子台座（１３）の外装板（４）の取付部位より外側になるように瓦棒通し吊子（１７）に着脱可能に装着され、瓦棒通し吊子の各係合受部（１９）の屈曲部位に対応した部位で下方斜め内向きに屈曲し、引き続いて端部側が下方斜め外向きになるように屈曲し、瓦棒通し吊子の係合受部（１９）に弾性的に係合する係止部（２２）を有する弾性板材からなる瓦棒化粧カバー（２０）を備えていることを特徴とする建築物の外装構造。
【請求項２】
外装板（４）は、上向きＬ字状に屈曲した側縁部（５）を有し、固定部材は、取付部（１０）の一端からＬ字状に立ち上がる下向きＵ字状の保持部（１１）を有する取付金具（７）と、取付金具を固定する止めネジ（８）を備えてなり、取付金具（７）の保持部（１１）を外装板の側縁部（５）を挟持するように装着し、取付部（１０）を止めネジ（８）で吊子台座（１３）に固定して外装板（４）が取付けられている請求項１記載の建築物の外装構造。
【請求項３】
取付金具の取付部（１０）を外装板（４）上から吊子台座（１３）に取付けるとともに、隣接部位においては取付金具の取付部（１０）を吊子台座（１３）に直接取付けることにより、外装板（４）が吊子台座（１３）に取付けられている請求項２記載の建築物の外装構造。
【請求項４】
外装板の側縁部（５）に沿って止めネジ（８）より大径の取付穴（６）が形成され、外装板（４）と吊子台座（１３）及び取付金具の取付部（１０）の間に外装板の取付穴（６）を覆うように低摩擦フイルムからなる滑動補助シート（１２）が設けられ、取付金具の取付部（１０）が外装板（４）上から止めネジ（８）で吊子台座（１３）に取付けられている請求項２記載の建築物の外装構造。
【請求項５】
躯体（２）の外面と外装板（４）間に断熱層（２３）が設けられ、断熱層（２３）は、逆爪（２８）が形成された刺し爪（２７）を有するスタイロックアンカー（２６）を躯体（２）に接着し、スタイロックアンカー（２６）に発泡樹脂ボードからなる断熱材（２４）を突き刺して取付け、隣接する断熱材（２４）間の隙間を防湿テープで覆うことにより形成されている請求項１記載の建築物の外装構造。
【請求項６】
吊子台座（１３）は、その上面が断熱層（２３）の外面と同一高さになるように躯体（２）に取付けられている請求項５記載の建築物の外装構造。
【請求項７】
吊子台座（１３）は、外装板（４）の取付部位に沿って縦方向に延びる溝状の雨水樋（３０）を有している請求項１記載の建築物の外装構造。
【発明の詳細な説明】
【０００１】
【発明の属する技術分野】
本発明は、建築物の外装構造に関し、詳細には、汚泥処理用消化槽、飼料貯蔵槽、その他の貯蔵タンク、体育館等を始めとする建築物の外面を複数の縦長の外装板で被覆してなる外装構造に関する。
【０００２】
【従来の技術】
建築物においては、躯体を保護し、美観を確保するために、一般に外装が施されている。例えば、躯体がコンクリート製で、外面形状が円柱形、球形、卵形等の球面状に形成された汚泥処理用消化槽、飼料貯蔵槽、その他の貯蔵タンク、体育館等の建築物については、躯体を保護し、美観を確保するとともに、外気温度の影響を防止するために、躯体の外面を断熱材で被覆して断熱層を形成し、躯体の外面を縦方向に細長く複数に区分した形状に対応する鋼板等の金属薄板からなる複数の外装板を断熱層を被覆するように取付けた外装構造が提案されている。
【０００３】
この外装構造において、建築物の外面を縦方向に細長く複数に区分した形状の輪郭に対応して吊子台座（以下、台座という）を取付け、両側外方に下向きＵ字状の側縁係合部を有する上向きコ字状の瓦棒通し吊子（以下、吊子という）を台座上に重ねて取付け、外装板のＬ字状の側縁部を吊子の側縁係合部に係止して取付けた後、両側内方に上向きＵ字状の側縁係合部を有する下向きコ字状の瓦棒化粧カバー（以下、化粧カバーという）を吊子に被せ、化粧カバーの側縁係合部を吊子の側縁係合部に嵌め込むことにより、外装板の側縁部を圧着挟持して固定してなるものがある（例えば、特許文献１参照。）。
【０００４】
【特許文献１】
特開平１−１０２１６２号公報（第２−３頁、第２−４図）
【０００５】
【発明が解決しようとする課題】
前記従来の外装構造は、吊子の下向きＵ字状の側縁係合部に外装板のＬ字状の側縁部を嵌め込んだ後、さらに化粧カバーの上向きＵ字状の側縁係合部を嵌め込むことにより、外装板の側縁部が圧着挟持して固定されていることから、次の問題点がある。外装板の側縁部が縦方向の全体に亘って吊子と化粧カバーで密封されるため、強風時には外装板の内外気圧に大きな差が生じ、風圧で外装板が変形し、またその側縁部がずれて取付けが外れる恐れがある。気温変化に伴う外装板と吊子、化粧カバー及び台座との熱伸縮差により、外装板が変形し、またその側縁部がずれて取付けが外れる恐れがある。変形、離脱、その他により損傷した外装板を交換する場合、先ず化粧カバーを取外すが、化粧カバーの上向きＵ字状の側縁係合部が吊子の下向きＵ字状の側縁係合部に嵌め込んで係止されていることから、化粧カバーの取外しが困難であり、また化粧カバー及び吊子の側縁係合部を変形させる恐れがある。さらに、隣接する外装板の側縁部の固定を同時に解除することになることから、隣接する外装板の側縁部等を損傷させる恐れがある。
その結果、所要の外装板を交換するのみではなく、隣接する外装板、化粧カバー及び吊子をも交換せざるを得ず、いわゆる部分補修が困難である。
【０００６】
また、前記従来の外装構造は、躯体の外面に断熱層が設けられているが、断熱層は、公知の方法、例えば発泡樹脂からなる断熱材の吹き付け、発泡樹脂ボードからなる断熱材の接着剤による取付け等により行われている。そのため、断熱材の全面が躯体に一体に取付けられている。ところが、断熱材と躯体の線膨張率が大きく異なり、気温変化により大きな熱伸縮差が生じるため、断熱材が断裂し、断熱層としての機能を長期間維持し難いという問題点がある。
【０００７】
本発明は、前記従来の問題点を解消すべくなされたものであり、その課題は、風圧又は気温変化による外装板の変形、離脱等を抑制するとともに、部分補修を簡便になし得る建築物の外装構造を提供することにある。また、気温変化による断熱材の断裂を抑制し、断熱層の耐久性を確保し得る建築物の外装構造を提供することにある。
【０００８】
【課題を解決するための手段】
前記課題を解決するために、本発明では、外装板を台座に直接取付けることにより、吊子及び化粧カバーの熱変形の影響を受けないようになっている。外装板の側縁部又は側縁部に沿う部位を縦方向に間隔を空けて着脱可能な固定部材で取付けることにより、強風時における外装板の内外気圧差を減少し、風圧による変形、離脱等を抑制し得るようになっている。吊子が、両側外向きに突出し、端部側が内向きになるように屈曲した係合受部を有し、化粧カバーが、吊子の係合受部の屈曲部位に対応する部位で下方斜め内向きに屈曲し、引き続いて端部側が下方斜め外向きになるように屈曲し、吊子の係合受部に弾性的に係合する係止部を有することにより、化粧カバーの着脱を円滑になし得るようになっている。
【０００９】
すなわち、本発明は、躯体の外面を縦方向に細長く複数に区分した形状の輪郭に対応して配置され、躯体に着脱可能に固定された台座と、隣接する台座間を覆うように配置され、側縁部又は側縁部に沿う部位が縦方向に間隔を空けて着脱可能な固定部材で台座に取付けられた外装板と、台座上に設けられ、両側外向きに突出し、端部側が内向きになるように屈曲した係合受部を有する吊子と、端部側の先端が台座の外装板の取付部位より外側になるように着脱可能に装着され、吊子の係合受部の屈曲部位に対応する部位で下方斜め内向きに屈曲し、引き続いて端部側が下方斜め外向きになるように屈曲し、吊子の係合受部に弾性的に係合する係止部を有する弾性板材からなる化粧カバーを備えてなることを特徴としている。
【００１０】
外装板は、側縁部が上向きＬ字状に屈曲したものでもよい。その際、固定部材は、取付部の一端からＬ字状に立ち上がる下向きＵ字状の保持部を有する取付金具と、取付金具を固定する止めネジを備えてなり、取付金具の保持部を外装板の側縁部を挟持するように装着し、取付部を止めネジで台座に固定して外装板を取付けることが好ましい。取付金具の取付部を外装板上から台座に取付けるとともに、隣接部位においては取付金具の取付部を台座に直接取付けることにより、外装板を取付けてもよい。取付金具の取付部を外装板上から止めネジで台座に取付ける場合には、外装板の側縁部に沿って止めネジより大径の取付穴を形成し、外装板と台座及び取付金具の取付部の間に外装板の取付穴を覆うように低摩擦フイルムからなる滑動補助シートを設けることが好ましい。
【００１１】
また、本発明では、躯体の外面と外装板間に断熱層が設けられていてもよい。その際、断熱層は、逆爪が形成された刺し爪を有するスタイロックアンカーを躯体に接着し、このスタイロックアンカーに発泡樹脂ボードからなる断熱材を突き刺して取付け、隣接する断熱材間の隙間を防湿テープで覆うことにより形成されていることが好ましい。台座は、その上面が断熱層の外面と同一高さになるように躯体に取付けられていてもよく、台座が溝型材からなる場合には溝内に断熱材が装着されていてもよい。また、台座は、外装板の取付部位に沿って縦方向に延びる溝状の雨水樋が形成されていてもよい。
【００１２】
【発明の実施の形態】
本発明の実施の形態を図に基づいて説明する。図１〜８は、第１実施の形態の概念的な説明図である。図１〜８において、１は建築物である汚泥処理用消化槽、２は躯体である。躯体２は、コンクリート製で、その全体形状が図２に示すようにほぼ卵形の球面状に形成されている。３は、外装で、躯体２の外面に後述する断熱層２３を設け、この断熱層２３を複数の外装板４で被覆し、躯体２を保護し、美観を確保するとともに、保温するようになっている。
【００１３】
外装板４は、縦方向の上端部と下端部が公知の方法により縦方向に緊張して取付けられ、両側縁部５が後述する台座１３に取付金具７と止めネジ８からなる固定部材で取付けられている。外装板４は、鋼板等の金属薄板からなり、図２に示すように、躯体２の外面を縦方向に細長く複数に区分した形状に対応して形成され、図１、図３、図４及び図８に示すように、側縁部５が上向きＬ字状に屈曲され、縦方向における上端から下端に至るまで、すなわち全長に亘って幅方向に延びる短寸法の折曲部４ａと長寸法の折曲部４ｂが交互に形成されている。これらの折曲部４ａ，４ｂは、短寸法の折曲部４ａと長寸法の折曲部４ｂが対になり、波模様又は瓦模様を模擬表示することになる。また、側縁部５に沿う部位には、図５、図６に示すように、止めネジ８より大径の取付穴６が縦方向に間隔を空けて複数形成されている。なお、外装板４は、側縁部５が折り曲げの無い平坦なもの、すなわち縁無しでもよく、各折曲部４ａ，４ｂの無い平板でもよい。
【００１４】
取付金具７は、止めネジ挿入孔９を有する平坦な取付部１０と、取付部１０の一端からＬ字状に立ち上がる下向きＵ字状の保持部１１を有する金属板からなり、保持部１１を外装板の側縁部５を挟持するように装着し、取付部１０を止めネジ８で台座１３に固定するようになっている。すなわち、取付金具７による外装板の側縁部５の固定は、図４、図５及び図６に示すように、外装板の取付穴６の部位における表裏両面、すなわち台座１３の側及び取付金具７の側に低摩擦フイルムである超高分子量ポリエチレンテープからなる滑動補助シート１２を装着し、取付金具の保持部１１を外装板の側縁部５を挟持するように装着し、取付部１０を滑動補助シート１２上に載置して止めネジ８で取付けることにより行われている。そして、これらの中間の１個所において、図１において右側の外装板４に対して実線で示し、図６に点線で示すように、取付金具の取付部１０を台座１３に直接載置して取付けている。すなわち、取付部１０を外装板４と台座１３に直接載置しての取付を交互に行っている。なお、混在させて取付けてもよく、また前記いずれか一方のみで取付けてもよい。外装板４上から取付ける取付金具７は、図６に実線で示すように、台座１３に直接載置するものより外装板４及び滑動補助シート１２の厚味に相当して保持部１１の高さが低く設定されたものが好ましく、外装板４の浮き上がり方向、縦方向及び幅方向の拘束状態を台座１３に直接載置するものとほぼ同一に設定し得る。滑動補助シート１２は、摩擦係数が小さく、フイルム状の薄い素材からなるものであればよく、外装板４上から取付金具７を取付けた場合における外装板４の取付金具７及び台座１３に対する移動を僅かに許容するとともに、取付金具７の取付部位の防水をなし得る。なお、滑動補助シート１２は、台座１３、外装板４及び取付金具７のいずれにも固定されていないが、外装板４の表側については取付部１０の裏面に接着剤により予め固定されていてもよい。
【００１５】
台座１３は、金属板からなる下向きコ字状の型材で、上面の両側が外装板４の取付部位になっている。幅方向中央には、図１及び図４に示すように、縦方向に間隔を空けてボルト挿入孔Ｈ１が設けられ、これらのボルト挿入孔Ｈ１を予め断熱層２３を貫通して躯体２に打ち込まれた複数のアンカーボルト１４に挿通し、下面が断熱層２３の外面に接近又は接触した位置になるように下部ナット１５で高さ調節し、上部ナット１６を締め付けて固定されている。アンカーボルト１４は、躯体２の外面を縦方向に細長く複数に区分した形状の輪郭に沿って間隔を空けて配置されており、台座１３は、躯体２の外面を縦方向に細長く複数に区分した形状の輪郭に対応して配置されることになる。なお、台座１３の形状は、剛性が確保されるならば平板等の他の形状でもよい。
【００１６】
１７は、金属板からなる吊子で、図１に示すように、上向きコ字状の本体１８の両側上端から対称に下方斜め外向きに突出し、端部側が下方斜め内向きになるように屈曲した係合受部１９を備え、本体１８の幅方向中央に形成されたボルト挿入孔Ｈ２をアンカーボルト１４に挿通し、台座１３に重ねて上部ナット１６で固定されている。係合受部１９は、台座１３の幅の半分程度に相当する寸法に設定され、台座１３に取付けられた外装板の側縁部５、いいかえれば外装板４の取付部位の上方を覆うようになっているが、外装板の側縁部５の上方より内側でもよい。なお、係合受部１９の取付位置は、本体１８の上端よりも下方から突出して形成されてもよい。係合受部１９の上面は、下方斜め外向きであることが好ましいが、水平面等の他の形状でもよい。本体１８の形状は、他の形状でもよい。
【００１７】
２０は、金属薄板からなる化粧カバーで、吊子の本体１８より幅広で平坦な基板部２１の両側から吊子の各係合受部１９の屈曲部位に対応した部位で下方斜め内向きに屈曲し、引き続いて端部側が下方斜め外向きになるように屈曲した係止部２２を備え、各係止部２２が吊子の各係合受部１９に弾性的に係合し、端部側が外装板の側縁部５を覆うように吊子１７に装着されている。化粧カバー２０の寸法は、基板部２１の内面が吊子の本体１８の上端に当接し、係止部２２の端部側の先端が外装板の側縁部５より外側で、外装板４の表面に接触する程度に近接するように設定されている。係止部２２の角度は、吊子の係合受部１９の角度より幾分大きく設定されているが、少なくとも吊子の各係合受部１９の屈曲部位に係合するようになっていればよい。係止部２２の端部側の先端は、円形断面に屈曲されているが、化粧カバー２０の装着時に外装板４の表面に滑らかに接触するようになっていればよく、例えば端面が面取り又は樹脂等の低摩擦材で被覆されていてもよい。基板部２１は、その内面が吊子の本体１８の上端から離れていてもよい。基板部２１の断面形状は、凹状又は凸状の平面又は曲面のいずれの形状でもよく、また吊子の本体１８より幅狭でもよい。
【００１８】
断熱層２３は、図７に示すように、躯体２の外面に防水材であるプライマー（図示せず）を塗布した後、逆爪２８が形成された４個の刺し爪２７を有する複数個のスタイロックアンカー２６を躯体２に接着し、これらのスタイロックアンカー２６に発泡樹脂ボードからなる断熱材２４を突き刺して取付け、隣接する断熱材２４間の隙間を防湿テープ（図示せず）で覆うことにより形成されている。発泡樹脂ボードは、防水シート２５であるアルミ箔ポリエステル積層フイルムで被覆された硬質ポリウレタンフォームのボードである。断熱層２３は、複数の断熱材２４がそれぞれ複数個所に取付けられたスタイロックアンカー２６で躯体２に取付けられていることから、気温変化による断熱材２４の躯体２との熱伸縮差がスタイロックアンカー２６で吸収され、断熱材２４の断裂が抑制されるため、保温機能が長期間維持される。なお、断熱材２４は、他の発泡樹脂からなるものでもよく、公知のように発泡樹脂からなる断熱材を吹き付けにより被覆し、又は発泡樹脂ボードの全面を接着剤で躯体２に取付けてもよい。スタイロックアンカー２６は、刺し爪２７が円形の基板２９の外周の４個所に立設されているが、基板２９の中央に１個立設されたものでもよい。
【００１９】
本実施の形態の外装３は、前記のように構成されており、その作用等を施工作業及び補修作業とともに次に説明する。外装３の施工作業は、先ず断熱材２４を躯体２の外面に複数個のスタイロックアンカー２６で取付けて断熱層２３を形成し、アンカーボルト１４を躯体２の外面を縦方向に細長く複数に区分した形状の輪郭に沿って間隔を空けて打ち込む。このアンカーボルト１４に台座１３のボルト挿入孔Ｈ１を挿通し、台座１３の下面が断熱層２３の外面に接触する程度に下部ナット１５で高さ調節し、上部ナット１６を締め付けて仮固定する。次いで、外装板４を隣接する一対の台座１３間を覆うように配置し、外装板４の縦方向の上端側又は下端側の一方を公知の方法により躯体２に固定し、他端を引張って躯体２に固定し、外装板４を縦方向に緊張させて取付ける。そして、外装板の各側縁部５をそれぞれ対応する各台座１３の上面に取付金具７で取付ける。取付金具７による取付けは、前記したように、外装板の取付穴６の部位における表裏両面にそれぞれ矩形の滑動補助シート１２を装着し、取付金具の保持部１１を外装板の側縁部５に係合し、表側の滑動補助シート１２上に取付金具の取付部１０を載せ、この取付部１０を止めネジ８により締め付けて固定する。そして、外装板４の隣接する取付穴６の中間の部位において取付金具の保持部１１を外装板の側縁部５に係合し、取付部１０を台座１３に止めネジ８で直接固定する。なお、外装板４を縦方向に緊張させて取付ける工程と取付金具７で取付ける工程は、逆順でもよく、その際には取付金具７による取付けは止めネジ８を軽く締付け、縦方向に緊張させた後に所定の締付けを行う。
【００２０】
同様にして隣接する外装板４をも取付けた後、アンカーボルト１４の上部ナット１６を取外し、吊子１７のボルト挿入孔Ｈ２を挿通し、上部ナット１６を締付けて吊子１７を台座１３に重ねて取付ける。これにより、外装板の側縁部５が隣接する外装板の側縁部５とともに吊子の係合受部１９で覆われることになる。次いで、化粧カバー２０を吊子１７に被せ、縦方向における上端側又は下端側を押付け、押付ける部位における化粧カバーの係止部２２を吊子の係合受部１９に係合させ、押付ける部位を縦方向における他端側に順次移動し、全ての部位において係止部２２を係合受部１９に係合させる。その際、化粧カバー２０を押付けることにより、係止部２２の端部側の下方斜め外向きの面が係合受部１９の屈曲部位の近くに当接しながら滑って押し広げられる。次いで、係止部２２の外向きの屈曲部位が係合受部１９の屈曲部位を通過した後に係止部２２の下方斜め内向きの面が係合受部１９の屈曲部位に当接しながら押し広げられ、係止部２２の内向きの屈曲部位が係合受部１９の屈曲部位に合致した時に、係止部２２が自身の弾性力で閉じて係合受部１９の下方斜め内向きの面に当接する。略同時に、基板部２１が吊子の本体１８の上端に当接する。これにより、化粧カバー２０は、吊子１７を覆うように弾性的に装着され、図１に示すように、基板部２１と係止部２２の下方斜め内向きの部位で吊子の係合受部１９を弾性的に挟持し、がたつきがないように装着される。また、係止部２２の端部側の先端が外装板の側縁部５の外側において外装板４の表面に接触する程度に近接して装着される。以上により、建築物１である汚泥処理用消化槽の外装３は、図２に示すように、縦方向に細長い外装板４と化粧カバー２０が交互に配置され、躯体２の形状に対応した卵形に形成される。そして、外装板４の縦方向における上端から下端に至るまで幅方向の短寸法の折曲部４ａと長寸法の折曲部４ｂが形成されていることから、外装板４が瓦模様を表し、化粧カバー２０が瓦棒を表し、いわゆる瓦棒葺の構造になる。
【００２１】
補修作業については、例えば損傷した１枚の外装板４を交換する場合、外装板の両側縁部５を覆う各化粧カバー２０を取外し、上部ナット１６を取外して吊子１７を取外し、取付金具７による固定及び縦方向の緊張固定を解除し、外装板５を取外す。その際、化粧カバー２０の取外しは、先ず縦方向の上端又は下端における係止部２２の端部側を押し広げながら持ち上げて吊子の係合受部１９から離脱させる。係止部２２の端部側を押し広げることにより、下方斜め内向きの面が係合受部１９の下方斜め内向きの面から離れ、持ち上げることにより係合受部１９の屈曲部位に当接して押し広げられ、係止部２２の下方斜め外向きの屈曲部位が係合受部１９の屈曲部位に当接し、一端側における係止部２２が係合受部１９から離脱される。次に、持ち上げる部位を縦方向の他端側に移動するが、既に係止部２２の下方斜め外向きの屈曲部位が係合受部１９の屈曲部位に当接した状態にあるため、持ち上げることにより係止部２２が係合受部１９から容易に離脱される。以後、同様にして持ち上げることにより、化粧カバー２０の全長に亘って係止部２２が係合受部１９から離脱される。以上のように、係止部２２の離脱作業を小さな力で無理なくなし得るため、化粧カバー２０自身、吊子１７及び隣接する外装板４を損傷させることなく行い得る。そして、所定の外装板４を取外した後は、施工作業に従って新しい外装板４を台座１３に取付け、吊子１７及び化粧カバー２０を順次取付けて補修を終了する。
【００２２】
本実施の形態によれば、外装板４が縦方向に間隔を空けた複数個所で台座１３に取付けられ、しかも幅方向の折曲部４ａ，４ｂを有していることから、外装板の側縁部５と台座１３間に間隙が設けられ、外装板４の内外が連通しているため、強風時における外装板４の内外気圧差が小さく、風圧による外装板４の変形が抑制される。また、気温変化による縦方向における外装板４と台座１３の熱伸縮差が、外装板の折曲部４ａ，４ｂでも吸収されるため、外装板４の熱変形が支障のない程度に抑制される。化粧カバーの係止部２２の先端が外装板４の表面に近接して覆うため、飛散する雨水の化粧カバー２０内への侵入を抑制し得る。しかも、外装板の側縁部５がＬ字状に形成されていることから、外装板４と台座１３の隙間からの雨水の侵入を防止し得る。
【００２３】
なお、本実施の形態において、吊子の係合受部１９の寸法が外装板４の取付部位より内側に設定されている場合には、吊子１７を台座１３に取付けた状態で外装板４の取付・取外作業ができるため、施工作業及び補修作業を簡便かつ迅速になし得る。すなわち、施工作業時には、台座１３をアンカーボルト１４に装着し、吊子１７を重ねて装着し、上部ナット１６を締め付けて固定した後に外装板４を取付けることができ、台座１３を仮固定する手間を省略し得る。また、補修作業時には、化粧カバー２０を取外すのみで損傷した外装板４を取外し、新しい外装板４を装着することができ、吊子１７の取外・取付を省略し得る。
【００２４】
図９及び図１０は、第２実施の形態の概念的な説明図である。図９及び図１０において、図１〜８におけると同一の符号は同一の機能部材を意味している。第２実施の形態は、台座１３の形状、外装板４の形状、外装板４の取付構造及び吊子の係合受部１９の形状の４点について第１実施の形態とは相違しており、これらの相違点を中心に以下に説明する。台座１３の形状は、全体として下向きコ字状で、上面両側の外装板４の取付部位に沿って縦方向に上向きコ字状の雨水樋３０が形成され、外装板４の取付部位を越えて流入する雨水を排出するようになっている。外装板４の形状は、躯体２の外面を縦方向に細長く複数に区分した形状に対応して形成され、縦方向における上端から下端に至るまで、すなわち全長に亘って図１０に示すように幅方向に折り曲げられた短寸法の折曲部４ａと長寸法の折曲部４ｂが交互に形成されているが、側縁部５が第１実施の形態のように上向きＬ字状に折り曲げられてなく平坦、すなわち縁無しになっている。そして、外装板４の取付けは、側縁部に沿って縦方向に間隔を空けて止めネジ８と座金３１からなる固定部材で台座１３に固定されている。なお、外装板４の側縁部に止めネジ８より大径の取付穴を形成し、表裏両面に滑動補助シートを装着して取付けてもよく、気温変化時における外装板４の熱変形をさらに抑制し得る。吊子の係合受部１９の形状は、端部側がほぼ水平で内向きになるように屈曲されている。これにより、化粧カバー２０の装着状態においては、係止部２２の下方斜め内向きの屈曲部位及びその付近が係合受部１９の屈曲部位に弾性的に係合し、吊子１７に装着される。また、吊子の係合受部１９と台座１３の上面との上下間隔が大きく設定されることから、吊子１７を台座１３に取付けた状態で外装板４の取付・取外作業をなし得るため、外装３の施工作業及び補修作業を簡便かつ迅速になし得る。
【００２５】
図１１は、第３実施の形態の概念的な説明図である。図１１において、図１〜８におけると同一の符号は同一の機能部材を意味している。第３実施の形態は、台座１３と吊子１７の形状と構造、外装板４の形状、外装板４の取付構造及び化粧カバー２０の形状の４点について第１実施の形態と相違しており、これらの相違点を中心に以下に説明する。台座１３と吊子１７は、金属板を折り曲げて一体に形成されている。台座１３は、扁平な上向きＣ字状に形成され、吊子１７は、台座１３の各上端に立設され、図１１に示すように左右一対の係合受部１９を有している。係合受部１９は、第２実施の形態におけると同様に端部側が水平内向きになるように屈曲しており、外装板４の取付・取外作業を簡便になし得る。なお、係合受部１９は、台座１３の上面との上下間隔が外装板４を固定する止めネジ８等を操作し得る空間が確保される程度に設定されていればよく、また台座１３の上面両側における外装板４の取付部位より内側になる寸法に設定されていてもよい。外装板４の形状及び取付けは、第２実施の形態におけると同様に、縁無しで、止めネジ８と座金３１からなる固定部材で台座１３に固定するようになっている。化粧カバー２０の形状は、基板部２１が凸状の曲面形状で、吊子の本体１８上端から離れるように形成されており、第２実施の形態と同様に係止部２２の下方斜め内向きの屈曲部位及びその付近が係合受部１９の屈曲部位に弾性的に係合し、吊子１７に装着される。なお、第３実施の形態において、縁無しの外装板４が採用されているが、第１実施の形態におけると同様にＬ字状の側縁部５を有する外装板４でもよい。第３実施の形態によれば、台座１３と吊子１７が一体に形成されていることから、部品点数が少なくなり、それだけ施工作業性に優れている。
【００２６】
【発明の効果】
本発明によれば、外装板の側縁部又は側縁部に沿う部位が縦方向に間隔を空けた複数個所で着脱可能な固定部材で台座に固定されていることから、強風時における外装板の内外気圧差が従来よりも小さくなるため、風圧による外装板の変形、離脱が抑制される。化粧カバーが吊子の係合受部の屈曲部位に対応した部位で内向きに屈曲し、引き続いて端部側が下方斜め外向きになるように屈曲した係止部を有していることから、吊子に簡便に装着し得る。化粧カバーの取外し時には、縦方向の一端において一側又は両側の係止部を押し広げて係合受部から離脱させ、その後離脱した一端から順次持上げることにより他の部位の係止部を係合受部から離脱させ得ることから、化粧カバー自身、吊子及び隣接の外装板等を損傷させることがなく、円滑に取外し得る。その結果、損傷した外装板の交換時には、化粧カバー又は吊子をも取外すが、化粧カバー、吊子を隣接する交換不要の外装板に影響を与えることなく取付け、取外し得ることから、損傷した外装板のみを簡便に交換することができ、外装板の部分補修が可能になった。以上の他、次の効果をも奏し得る。
【００２７】
外装板が台座に直接取付けられていることから、気温変化時に台座との熱伸縮差による熱変形を生じるが、従来のように吊子及び化粧カバーとの熱伸縮差の影響を受けないため、外装板の熱変形は支障の無い程度に抑制される。特に、取付部の一端からＬ字状に立ち上がる下向きＵ字状の保持部を備えた取付金具で外装板を取付けた場合には、外装板が台座に対して縦方向において強く拘束されず僅かに移動可能であるため、外装板と台座の熱伸縮差を吸収し、外装板の縦方向の熱変形を抑制し得る。また、幅方向においては、縦方向におけるよりもはるかに熱伸縮差が小さく、しかも僅かに移動可能であるとともに、外装板の縦方向において間隔を空けて固定されていることから、外装板のＬ字状の側縁部が多少弾性変形することと併せて、前記熱伸縮差を吸収し、外装板の幅方向の熱変形を抑制し得る。
【００２８】
前記取付金具を外装板上から取付ける場合には、外装板の浮上りをより確実に抑制し得る。そして、外装板と台座及び取付金具の取付部の間に滑動補助シートを設けた場合には、気温変化による熱伸縮差により外装板が縦方向及び幅方向において台座及び取付金具に対して相対的に移動し易く、各方向における外装板の熱変形を抑制し得る。
【００２９】
断熱層が躯体に接着されたスタイロックアンカーに発泡樹脂ボードからなる断熱材を突き刺して形成されている場合には、気温変化による断熱材と躯体の熱伸縮差がスタイロックアンカーで吸収されるため、断熱材の断裂が抑制され、断熱層の機能が長期間維持される。また、建築物を解体する際には断熱材を躯体から簡単に取外し得るため、躯体の解体前に断熱材と躯体を予め分別できる。その結果、外装板、化粧カバー、吊子及び台座が容易に分解可能であることと併せ、解体による廃材の分別収集を簡便に行うことができ、環境対策に貢献し得る。
【００３０】
台座の上面が断熱層の外面と同一高さになるように躯体に固定されている場合には、外装板を断熱層に接近して取付けることができ、断熱層が外装板の支持部材として働くことから、強風時における外装板の変形を抑制し得る。台座が外装板の取付部位に沿って縦方向に延びる溝状の雨水樋を有している場合には、側縁部が平坦な、すなわち縁無しの外装板を使用する場合であっても外装板と台座間の間隙からの雨水の侵入を抑制し得る。
【図面の簡単な説明】
【図１】本発明の第１実施の形態の概念的な説明図で、図３のＡ−Ａ線に沿う拡大断面図である。
【図２】同じく、全体を示す側面図である。
【図３】同じく、外装板の取付構造を示す一部を破断した斜視図である。
【図４】同じく、外装板の取付構造を示す分解斜視図である。
【図５】同じく、外装板の取付金具による取付構造を示す平面図である。
【図６】同じく、図５のＢ−Ｂ線に沿う断面図である。
【図７】同じく、断熱材の取付構造の説明図である。
【図８】同じく、Ｌ字状の側縁部を有する外装板の形状の概念的な縦断面図である。
【図９】本発明の第２実施の形態の概念的な説明図で、図１に対応した断面図である。
【図１０】同じく、平坦な側縁部を有する外装板の形状の概念的な縦断面図である。
【図１１】本発明の第３実施の形態の概念的な説明図で、図１に対応した断面図である。
【符号の説明】
１  建築物    ２  躯体    ３  外装    ４  外装板    ５  外装板の側縁部
６  取付穴    ７  取付金具    ８  止めネジ    １０  取付金具の取付部
１１  取付金具の保持部    １２  滑動補助シート
１３  台座（吊子台座）    １７  吊子（瓦棒通し吊子）
１８  吊子の本体    １９  吊子の係合受部
２０  化粧カバー（瓦棒化粧カバー）
２１  化粧カバーの基板部    ２２  化粧カバーの係止部
２３  断熱層    ２４  断熱材    ２５  防水シート
２６  スタイロックアンカー    ２７  刺し爪    ２８  逆爪    ２９  基板
３０  雨水樋    ３１  座金
【図１】
2005002762.tif 000003
【図７】
2005002762.tif 000004
【図２】
2005002762.tif 000005
【図３】
2005002762.tif 000006
【図４】
2005002762.tif 000007
【図５】
2005002762.tif 000008
【図６】
2005002762.tif 000009
【図８】
2005002762.tif 000010
【図９】
2005002762.tif 000011
【図１０】
2005002762.tif 000012
【図１１】
2005002762.tif 000013